(57)【要約】【課題】機器に備えられた押し下げ式のキースイッチにおいて、１つのキースイッチの押し下げに対し複数の機能を持たせることを可能とする。【解決手段】キースイッチの表面に指紋認識センサ１を搭載し、キースイッチを押下した際に、キースイッチを押下した指の指紋パターンを取得する。キースイッチ又はそれを備える機器に指紋パターン記憶装置２，指紋照合処理装置３，機能記憶装置４を搭載する。取得した指紋パターンを、指紋パターン記憶装置２に予め記憶させておいた数種類の指紋パターンの中から指紋照合処理装置３により検索して特定し、機能記憶装置４に予め記憶させておいた、各指紋パターンに対応する機能を、機器が実行するよう構成する。キースイッチを押下する指を変える、或いは押下する指の場所を変えることにより、異なる機能を実行するよう、機器を動作させる。【選択図】　　　　図１
2004070402.tif 000002
【特許請求の範囲】
【請求項１】
機器に１又は複数備えるための押し下げ式のキースイッチにおいて、当該キースイッチの表面に指紋認識センサを搭載し、該指紋認識センサは、当該キースイッチが押下された際に、当該キースイッチを押下した指の指紋パターンを取得することを特徴とするキースイッチ。
【請求項２】
前記指紋認識センサは、指端の腹面部分に比べ、狭い表面積をもち、前記取得する指紋パターンは、指端の腹面の一部領域における紋様のパターンであることを特徴とする請求項１記載のキースイッチ。
【請求項３】
当該キースイッチについて数種類の指紋パターンを記憶する指紋パターン記憶手段と、各指紋パターンに対応した、当該キースイッチが押下された際に実行される、前記機器の機能を記憶する機能記憶手段と、を有することを特徴とする請求項１又は２記載のキースイッチ。
【請求項４】
当該キースイッチが押下された際に、当該キースイッチを押下した指の指紋パターンを、前記指紋パターン記憶手段に予め記憶しておいた数種類の指紋パターンと照合し、特定する指紋照合処理手段を有することを特徴とする請求項３記載のキースイッチ。
【請求項５】
前記機器は、当該キースイッチが押下された際に、前記指紋照合処理手段で照合した指紋パターンに対応する、前記機能記憶手段に予め登録された前記機器の機能を実行する手段を有することを特徴とする請求項４記載のキースイッチ。
【請求項６】
押し下げ式のキースイッチを１又は複数備えた機器において、各キースイッチの表面に指紋認識センサを搭載し、該指紋認識センサは、該指紋認識センサを有するキースイッチが押下された際に、該キースイッチを押下した指の指紋パターンを取得することを特徴とするキースイッチを備えた機器。
【請求項７】
前記指紋認識センサは、指端の腹面部分に比べ、狭い表面積をもち、前記取得する指紋パターンは、指端の腹面の一部領域における紋様のパターンであることを特徴とする請求項６記載のキースイッチを備えた機器。
【請求項８】
当該機器は、各キースイッチの内部又は外部に、各キースイッチについて数種類の指紋パターンを記憶する指紋パターン記憶手段と、各指紋パターンに対応した、各キースイッチが押下された際に実行される、前記機器の機能を記憶する機能記憶手段と、を有することを特徴とする請求項６又は７記載のキースイッチを備えた機器。
【請求項９】
当該機器は、各キースイッチの内部又は外部に、各キースイッチが押下された際に、該押下した指の指紋パターンを、前記指紋パターン記憶手段に予め記憶しておいた数種類の指紋パターンと照合し、特定する指紋照合処理手段を有することを特徴とする請求項８記載のキースイッチを備えた機器。
【請求項１０】
各キースイッチが押下された際に、前記指紋照合処理手段で照合した指紋パターンに対応する、前記機能記憶手段に予め登録された当該機器の機能を実行する手段を有することを特徴とする請求項９記載のキースイッチを備えた機器。
【発明の詳細な説明】
【０００１】
【発明の属する技術分野】
本発明は、キースイッチ及びそれを備えた機器に関し、より詳細には、機器外側に１つ又は複数の押し下げ式のキースイッチを持つ機器、及びその機器に備えるキースイッチに関する。
【０００２】
【従来の技術】
従来技術による押し下げ式のキースイッチには、基本的にキースイッチ１つに付き僅か１つの機能しか持たせることができない。例えば、ＴＶのリモコンなどにおいてはチャンネルの選択を行う機能を持つキースイッチ、音量の調節を行う機能を持つキースイッチといったように、各キースイッチは１つの決まった機能しか持つことができない。
【０００３】
したがって、ユーザによる入力が必要となる機器においては、要求される機能が多くなるに従い、それを制御するためのキースイッチの個数も当然のことながら多くなってしまう。それでも機器に多くのキースイッチを配置するスペースが確保できる場合は良いが、確保できない場合は、例えば複数のキースイッチの押下の組み合わせや、一時押下と所定期間押下とを区別するなどキースイッチの押下方法の違いにより、１つの機能を実現するというような面倒な操作を強いられることになる。
【０００４】
例えば、ＰＨＳ，携帯電話等の携帯端末機器には、本体だけで日本語や英語の文章を入力する機能があるが、日本語５０音以上を入力するためのキースイッチは物理的なスペースが確保できないため、次に例示するように僅か十数個のキースイッチに組み合わせにより入力せざるを得なかった。
【０００５】
図２で示す、一般的な携帯電話におけるキースイッチ配列（ボタン配列）１０をもつ携帯電話で、そのユーザがキースイッチ１００〜１０９を親指で操作し、「おはよう」と入力する場合を例に取り説明する。現在の携帯電話のキースイッチを使用した一般的な日本語５０音の入力方法によると、携帯電話キースイッチ配列１０に示す通り、各数字キー（１〜９，０）が、「あ行」，「か行」，「さ行」，…，「ら行」，「わ行」に対応しており、同一キーを複数回押すことで、「あ段」，「い段」，「う段」，「え段」，「お段」（及びそれらの小文字）を選択するようになっている。すなわち、「おはよう」と入力する場合、次のように、実に１２回ものキースイッチの押下を要する。
【０００６】
「お」＝「１／あ」（１０１）→「１／あ」（１０１）→「１／あ」（１０１）→「１／あ」（１０１）→「１／あ」（１０１）
「は」＝「６／は」（１０６）
「よ」＝「８／や」（１０８）→「８／や」（１０８）→「８／や」（１０８）「う」＝「１／あ」（１０１）→「１／あ」（１０１）→「１／あ」（１０１）
【０００７】
上述のごとく、従来の技術によれば、近年の携帯情報機器の高機能化により、携帯電話本体のみで可能となっているＥメール送信時のメール本文などの入力を、携帯電話本体に用意されている数少ないキーの組み合わせで行わざるを得ず、結果として、１つの文字を入力するためにも複数のキーを押す必要がある。すなわち、携帯電話の機能としては数千文字に及ぶＥメールの送信が可能とされていながら、実際には文字の入力に非常に面倒な操作を強いられる。また、一方で、簡易な入力を行えるように入力用の特別なデバイスを追加することは、装置の携帯性や外観を損ねる。
【０００８】
【発明が解決しようとする課題】
従来からの押し下げ式のキースイッチは、キースイッチ１つに付き基本的に僅か１つの機能しか持たせることができず、機能が多くなるに従い、それを制御するためのキースイッチの個数も多くなり、機器の外観を損ねてしまう。それでも機器に多くのキースイッチを配置するスペースが確保できる場合は良いが、確保できない場合は、例えば複数のキースイッチの押下の組み合わせにより、１つの機能を実現するというような面倒な操作を強いられる。
【０００９】
本発明は、上述のごとき実情に鑑みてなされたものであり、機器に備えられた押し下げ式のキースイッチにおいて、１つのキースイッチの押し下げに対し複数の機能を持たせることが可能な、キースイッチ及びそれを備えた機器を提供することをその目的とする。
【００１０】
【課題を解決するための手段】
本発明は、上述の目的を達成するために、以下の各技術手段により構成される。
第１の技術手段は、機器に１又は複数備えるための押し下げ式のキースイッチにおいて、当該キースイッチの表面に指紋認識センサを搭載し、該指紋認識センサは、当該キースイッチが押下された際に、当該キースイッチを押下した指の指紋パターンを取得することを特徴とし、キースイッチを押下した際に、キースイッチを押下した指の指紋パターンを取得することを可能としている。
【００１１】
第２の技術手段は、第１の技術手段において、前記指紋認識センサは、指端の腹面部分に比べ、狭い表面積をもち、前記取得する指紋パターンは、指端の腹面の一部領域における紋様のパターンであることを特徴とし、指端の腹面の一部領域の紋様のパターンを読み取り、同じ指でも読み取る領域により処理を異ならせることを可能としている。
【００１２】
第３の技術手段は、第１又は第２の技術手段において、当該キースイッチについて数種類の指紋パターンを記憶する指紋パターン記憶手段と、各指紋パターンに対応した、当該キースイッチが押下された際に実行される、前記機器の機能を記憶する機能記憶手段と、を有することを特徴とし、予め各キースイッチについて数種類の指紋パターンと、夫々の指紋パターンに対応した、キースイッチ押下時に実行される機能を記憶することを可能としている。
【００１３】
第４の技術手段は、第３の技術手段において、当該キースイッチが押下された際に、当該キースイッチを押下した指の指紋パターンを、前記指紋パターン記憶手段に予め記憶しておいた数種類の指紋パターンと照合し、特定する指紋照合処理手段を有することを特徴とし、キースイッチを押下した際に、キースイッチを押下した指の指紋パターンを、予め記憶しておいた数種類の指紋パターンの中から検索し、特定することを可能としている。
【００１４】
第５の技術手段は、第４の技術手段において、前記機器は、当該キースイッチが押下された際に、前記指紋照合処理手段で照合した指紋パターンに対応する、前記機能記憶手段に予め登録された前記機器の機能を実行する手段を有することを特徴とし、キースイッチを押下する指を変える、或いは押下する指の場所を変えることにより、異なる機能を実行することを可能としている。
【００１５】
第６の技術手段は、押し下げ式のキースイッチを１又は複数備えた機器において、各キースイッチの表面に指紋認識センサを搭載し、該指紋認識センサは、該指紋認識センサを有するキースイッチが押下された際に、該キースイッチを押下した指の指紋パターンを取得することを特徴とし、キースイッチを押下した際に、キースイッチを押下した指の指紋パターンを取得することを可能としている。
【００１６】
第７の技術手段は、第６の技術手段において、前記指紋認識センサは、指端の腹面部分に比べ、狭い表面積をもち、前記取得する指紋パターンは、指端の腹面の一部領域における紋様のパターンであることを特徴とし、指端の腹面の一部領域の紋様のパターンを読み取り、同じ指でも読み取る領域により処理を異ならせることを可能としている。
【００１７】
第８の技術手段は、第６又は第７の技術手段において、当該機器は、各キースイッチの内部又は外部に、各キースイッチについて数種類の指紋パターンを記憶する指紋パターン記憶手段と、各指紋パターンに対応した、各キースイッチが押下された際に実行される、前記機器の機能を記憶する機能記憶手段と、を有することを特徴とし、予め各キースイッチについて数種類の指紋パターンと、夫々の指紋パターンに対応した、キースイッチ押下時に実行される機能を記憶することを可能としている。
【００１８】
第９の技術手段は、第８の技術手段において、当該機器は、各キースイッチの内部又は外部に、各キースイッチが押下された際に、該押下した指の指紋パターンを、前記指紋パターン記憶手段に予め記憶しておいた数種類の指紋パターンと照合し、特定する指紋照合処理手段を有することを特徴とし、キースイッチを押下した際に、キースイッチを押下した指の指紋パターンを、予め記憶しておいた数種類の指紋パターンの中から検索し、特定することを可能としている。
【００１９】
第１０の技術手段は、第９の技術手段において、各キースイッチが押下された際に、前記指紋照合処理手段で照合した指紋パターンに対応する、前記機能記憶手段に予め登録された当該機器の機能を実行する手段を有することを特徴とし、キースイッチを押下する指を変える、或いは押下する指の場所を変えることにより、異なる機能を実行することを可能としている。
【００２０】
【発明の実施の形態】
本発明は、表面に指紋認識センサを搭載した押し下げ式のキースイッチ、及び、そのキースイッチを１つ又は複数、機器外側に備えた機器（装置といっても良い）であり、キースイッチを押下した際に、キースイッチを押下した指の指紋パターンを取得し、取得した指紋パターンを、予め記憶させておいた数種類の指紋パターンの中から検索して特定し、同じく予め記憶させておいた、指紋パターンに対応する機能を実行するよう構成したものである。本発明においては、キースイッチを押下する指を変える、或いは押下する指の場所を変えることにより、異なる機能を実行するよう、機器を動作させることが可能となる。本発明に係る押し下げ式キースイッチは、上述のごとき構成から「指紋認識キースイッチ」ともいえる。
【００２１】
図１は、本発明の一実施形態に係る押し下げ式キースイッチの機能を概略的に説明するためのブロック図である。
本実施形態に係る指紋認識キースイッチは、押し下げ式のキースイッチであり、押下に応じて所定の機能を実現させる通常のスイッチ機能（電子式，機械式を問わない）に加え、指紋認識センサ１を少なくとも備えるものとする。さらに、指紋認識キースイッチの内部又は外部には、指紋パターン記憶手段としての指紋パターン記憶装置２と、指紋照合処理手段としての指紋照合処理装置３と、機能記憶手段としての機能記憶装置４とを備えるものとする。なお、指紋認識キースイッチの外部とは、主として、指紋認識キースイッチを１又は複数備えた機器の内部を指す。また、指紋パターン記憶装置２と機能記憶装置４とは物理的に共通の記憶装置で構成してもよい。また、ここでいう機器としては、後述する携帯電話の他に、ＰＨＳ，ＰＤＡ，モバイルコンピュータ，各種リモートコントローラ等、様々なデバイスが挙げられる。
【００２２】
指紋認識センサ１は、キースイッチの表面に搭載され、キースイッチ押下時に指紋パターンの取得を行うセンサである。指紋検出方式には、例えば特開平５−３１４２４６号公報，特開平８−１６１４７１号公報，特開２００２−１１７３９３号公報などに開示されているような光学式検出方式や、特開平４−２３１８０３号公報，特開２００１−１４１４１１号公報などに開示されているような静電容量式検出方式などの方式があるが、本発明における指紋認識センサ１としてはいずれの方式を採用してもよい。光学式検出方式を採用した指紋認識センサは、例えば、ガラス板やプリズム等の透明ブロックの表面に指を押し当てさせ、当該ブロックの表面に光を照射し、透明ブロックの表面に生じている指紋のパターンをレンズによってＣＣＤ等の撮像素子に結像させるようになっている。一方、静電容量式検出方式を採用した指紋認識センサは、静電容量用の半導体素子などからなり、指紋認識センサの電極との間の静電容量値を検知することで指紋を検出する。なお、静電容量方式は装置を小型化しやすい利点がある。
【００２３】
指紋認識キースイッチは、上述のごとき構成により、ユーザによりキースイッチが押下されると、キースイッチが押下されたという情報と共に、キースイッチ表面に搭載された指紋認識センサ１がキースイッチを押下した指の指紋パターンを取得する。
【００２４】
指紋パターン記憶装置２は、このキースイッチ或いは複数のキースイッチに対し、識別すべきいくつかの指紋パターンを記憶する。機能記憶装置４は、指紋パターン記憶装置２と対になり、指紋パターン記憶装置２の記憶する指紋パターンの一つ一つに対し、対応する機能を記憶する。ここで対応する機能とは、指紋認識キースイッチを１又は複数、ある機器に搭載する場合には、その機器の各機能を指し、あるキースイッチが、ある指紋パターンにて押下された際に実行される機能である。
【００２５】
上述のごとく、キースイッチ、又はキースイッチが配置される機器には、指紋パターン記憶装置２と機能記憶装置４とを搭載し、夫々、予め、認識すべきいくつかの指紋パターンと、その指紋パターンに対応する機能とを設定、記憶させておく。キースイッチが配置される機器側に指紋パターン記憶装置２と機能記憶装置４とを配設した場合には、指紋パターン記憶装置２には予め各キースイッチについて数種類の指紋パターンを記憶しておき、機能記憶装置４には夫々の指紋パターンに対応した、キースイッチ押下時に実行される機能内容を記憶しておけばよい。なお、指紋パターン記憶装置２に記憶する数種類の指紋パターンは各キースイッチに対して共通のものでも良く、その場合にも、機能記憶装置４には各キースイッチに対して、夫々の指紋パターンに対応した、キースイッチ押下時に実行される機能内容を記憶しておく必要がある。
【００２６】
記憶する指紋パターンは、キースイッチ表面に搭載される指紋認識センサ１により取得し、そのまま、或いは処理しやすい形に変換して記憶しても良い。また、例えば、その機器とネットワーク等を介して接続した指紋認識機能付の汎用コンピュータ（ＰＣ）など外部機器から、初期設定としてこの指紋パターンを指紋の各領域毎に入力するか、或いは各指毎に指紋パターンを入力しそれを領域分割させて、本発明に係る機器に入力しても良い。
【００２７】
指紋照合処理装置３は、キースイッチ、又はキースイッチが配置される機器に搭載され、指紋認識センサ１が取得した指紋パターン（キースイッチを押下した指の指紋パターン）を、指紋パターン記憶装置２に登録されている指紋パターンの中から検索して照合する。この指紋照合処理装置３により、キースイッチを押下した際に指紋認識センサ１により取得された指の指紋パターンは、予め指紋パターン記憶装置２が記憶する数種類の指紋パターンの中から検索され、特定されることとなる。
【００２８】
指紋照合処理装置３は、特定した指紋パターンの情報に基づいて機能記憶装置４から、その指紋パターンに対応する、機能記憶装置４が記憶する機能内容を取得し、実行させる。若しくは、機能記憶装置４又は別途機器内に備えた処理装置において、指紋照合処理装置３で特定した指紋パターンの情報により、その指紋パターンに対応する、機能記憶装置４が記憶する機能内容を実行する。いずれの場合でも、次に示すように、結果として、キースイッチを押下する指（右手及び／又は左手の親指，人差し指，中指，薬指，小指）を変える、或いは押下する指の場所（領域）を変えることにより、異なる機能を実行させることが可能となる。
【００２９】
本発明に係る指紋認識キースイッチにより、ユーザはキースイッチを押下する指を変えることにより異なる機能を機器に実行させることができる。また、指紋認識センサ１は、指端の腹面（指の第一関節より先端の腹面）部分に比べ、狭い表面積をもつようにし、取得する指紋パターンが指端の腹面の一部領域における紋様（しわ）のパターンとなるようにすることで、ユーザは、押下する指の場所を変えることにより異なる機能を機器に実行させることが可能となる。
【００３０】
本発明に係るその他の効果としては、各種機器を小型化する際に好適であること、指紋を登録したユーザ以外の人の使用を排除できること、或いは他人が不正使用しようとしたことも記録できること、などが挙げられる。また、本発明に係るキースイッチ或いは通常のキースイッチに、モード選択できる機能を関連付けておき、本発明に係る指紋認識を用いた入力とするモードと、通常の入力とするモードとの間でユーザ選択を可能としても良い。
【００３１】
（実施例）
本発明の指紋認識キースイッチが適用される機器の一実施例として、指紋認識センサ１を内蔵したキースイッチを使用して構成される携帯電話を挙げ、携帯電話を使用して文字の入力を行う場合を例示する。
【００３２】
図２は一般的な携帯電話におけるキースイッチ配列の例を示す概略図で、図３は図２のキースイッチ配列に対し本発明の一実施例において認証パターン（認証用指紋パターン）として記憶する親指の指紋パターン位置を例示するための図であり、図３（Ａ），（Ｂ）は夫々、領域配置例を示している。
【００３３】
図２のキースイッチ（ボタン）配列１０をもつ携帯電話で、そのユーザがキースイッチ１００〜１０９を親指で操作し、「おはよう」と入力する場合を例に取り説明する。
【００３４】
本発明の指紋認識キースイッチを使用した日本語５０音の入力方法によると、携帯電話キースイッチ配列１０に示す通り、各数字キー（１〜９，０）が、「あ行」，「か行」，「さ行」，…，「ら行」，「わ行」に対応していることは従来の携帯電話のキースイッチと同じであるが、予め、親指の腹面２１（又は２２）における親指指紋パターン位置（親指指紋パターン領域ともいえる）２１１〜２１５（又は２２１〜２２５）で示されるように、親指の腹の５箇所の指紋パターンを指紋パターン記憶装置に、また、それぞれの指紋パターンに対応する機能として、「あ段の入力」，「い段の入力」，「う段の入力」，「え段の入力」，「お段の入力」を機能記憶装置に登録しておくことにより、同じく「おはよう」と入力する場合、次に示すように、１文字に付き１回のキースイッチの押下で、日本語５０音全ての入力が可能となる。ただし、図３（Ａ）のパターンで説明するが、図３（Ｂ）のパターンでも同様である。
【００３５】
「お」＝　親指「お段」位置２１５で「１／あ」キー１０１押下、
「は」＝　親指「あ段」位置２１１で「６／は」キー１０６押下、
「よ」＝　親指「お段」位置２１５で「８／や」キー１０８押下、
「う」＝　親指「う段」位置２１３で「１／あ」キー１０１押下。
【００３６】
ここで、上述の「お」を入力する際の動作をもう少し詳しく見ると、親指「お段」位置２１５で「１／あ」キースイッチ１０１を押下することにより、「１／あ」キースイッチ１０１が押下されたという情報と共に、キースイッチ表面に搭載された指紋認識センサが親指「お段」位置２１５の指紋パターンを検出する。検出された指紋パターンは指紋照合処理装置により、予め指紋パターン記憶装置に記憶してある指紋パターンとの照合を行い、登録済みの親指「お段」位置２１５のパターンであることを確認する。また、当該指紋パターンに対応する機能を機能記憶装置から検索を行うと、機能内容は「お段の入力」であるので、「１／あ」キースイッチ１０１の押下という情報と共に処理の結果「お」の入力であると判断する。
「は」、「よ」、「う」、及びその他の５０音も同様である。
【００３７】
前述したように、本発明では、各キースイッチに対し、指紋パターン記憶装置と機能記憶装置をもつ構成だけでなく、本実施例のような各キースイッチが同一の認識すべき指紋パターンを持つ場合、指紋パターン記憶装置は各キースイッチ共通のものを機器（ここでは携帯電話）内に搭載しても良い。また、日本語入力時の指紋パターンに対応する機能が「あ段の入力」，「い段の入力」，…，「お段の入力」のような、特定のパターン化できるものであれば、機能記憶手段を省略し、作り付けでそのように動作するよう構成することも可能である。
【００３８】
本実施例によれば、携帯電話本体のみでＥメールの送信を行う場合のメール本文の入力を、携帯電話に具備されているキースイッチを使用して行えるようにしたことで、従来の数回にわたるキーの押下の組み合わせによる文字の入力に比較し、速やかに文字の入力をすることができるようになる。近年の携帯情報機器の高機能化により、携帯電話の機能として数千文字に及ぶＥメールの送信が可能とされているが、本発明の指紋認識キースイッチを備えることで、入力作業に手間がかからなくなり、その機能を充分に生かすことが可能となる。また、一方で、簡易な入力を行えるように、入力用の特別なデバイスを追加する必要もなく、機器の携帯性や外観を損ねることもない。
【００３９】
【発明の効果】
本発明によれば、キースイッチの表面に指紋認識センサを搭載することにより、キースイッチを押下した際に、キースイッチを押下した指の指紋パターンを取得することが可能となり、よって、キースイッチを押下した際に、取得し照合した指紋パターンに対応する、予め登録された機能を機器に実行させることが可能となる。また、本発明によれば、キースイッチを押下する指を変える、或いは押下する指の場所を変えることにより、異なる複数の機能を実行することを可能とする。
【図面の簡単な説明】
【図１】本発明の一実施形態に係る押し下げ式キースイッチの機能を概略的に説明するためのブロック図である。
【図２】一般的な携帯電話におけるキースイッチ配列の例を示す概略図である。
【図３】図２のキースイッチ配列に対し本発明の一実施例において認証パターンとして記憶する親指の指紋パターン位置を例示するための図である。
【符号の説明】
１…指紋認識センサ、２…指紋パターン記憶装置、３…指紋照合処理装置、４…機能記憶装置、１０…携帯電話のキースイッチ配列、１００…携帯電話のキースイッチ「０／わ」、１０１…携帯電話のキースイッチ「１／あ」、１０２…携帯電話のキースイッチ「２／か」、１０３…携帯電話のキースイッチ「３／さ」、１０４…携帯電話のキースイッチ「４／た」、１０５…携帯電話のキースイッチ「５／な」、１０６…携帯電話のキースイッチ「６／は」、１０７…携帯電話のキースイッチ「７／ま」、１０８…携帯電話のキースイッチ「８／や」、１０９…携帯電話のキースイッチ「９／ら」、２１，２２…親指の腹面、２１１，２２１…親指の指紋パターン位置（あ段）、２１２，２２２…親指の指紋パターン位置（い段）、２１３，２２３…親指の指紋パターン位置（う段）、２１４，２２４…親指の指紋パターン位置（え段）、２１５，２２５…親指の指紋パターン位置（お段）。
【図１】
2004070402.tif 000003
【図２】
2004070402.tif 000004
【図３】
2004070402.tif 000005